(57)【要約】【課題】  複数の通信サービスを利用するユーザを収容するアクセスネットワークで、ＰＰＰｏＥやＩＰＳｅｃ等を用いることなくユーザネットワーク及びユーザが利用する通信サービスを識別し、複数のＩＳＰサービスへの振り分けを行うイーサネット（登録商標）アクセスサービスシステムを提供する。【解決手段】  ＩＳＰサービスを識別するために、パーソナルコンピュータ等の通信端末１３、通信端末１３を収容するレイヤ２スイッチ等のイーサネット（登録商標）スイッチ１２またはルータがＩＥＥＥ８０２．１Ｑで規定されたＶＬＡＮ−ＩＤを付与し、局内終端装置２がユーザネットワークからの回線毎に第１の拡張タグを付与し、サービス振り分け装置３が局内終端装置２からの回線毎に第２の拡張タグを付与する。サービス振り分け装置３が、ＶＬＡＮ−ＩＤに基づいてＩＳＰネットワーク２１を識別する。【選択図】図２
2005311957.tif 000002
【特許請求の範囲】
【請求項１】
サービス提供者が所定の通信サービスをユーザへ提供するためのサービスネットワーク、当該サービスネットワークに接続されるコアネットワーク、及びユーザが操作する通信端末を含むユーザネットワークにより通信サービスを実現するサービス提供システムの下で、前記ユーザネットワークとコアネットワークとの間でパケットの転送制御を行うアクセスネットワークシステムであって、
ユーザネットワークから送信されたパケットを受信する手段、当該受信されたパケットに対してユーザネットワークからの回線に対応する拡張タグを付与する手段、当該拡張タグを管理する手段、前記パケットに含まれるＩＥＥＥ８０２．１Ｑで規定されたＶＬＡＮ−ＩＤに基づいて、コアネットワークを介してサービスネットワークへパケットを転送する手段、サービスネットワークから送信されたパケットをコアネットワークを介して受信する手段、及び前記拡張タグに基づいてユーザネットワークへパケットを転送する手段を有するサービス振り分け装置を備えたことを特徴とするアクセスネットワークシステム。
【請求項２】
請求項１に記載のアクセスネットワークシステムにおいて、
さらに、前記ユーザネットワークからパケットを受信する手段、ユーザネットワークからの回線に対応した第１の拡張タグを付与する手段、及び、当該第１の拡張タグが付与されたパケットをサービス振り分け装置へ送信する手段を有する局内終端装置を備え、
前記サービス振り分け装置は、局内終端装置から受信したパケットに対して、局内終端装置からの回線に対応した第２の拡張タグを付与する手段、前記第１の拡張タグ及び第２の拡張タグを管理する手段、及び、サービスネットワークからコアネットワークを介してパケットを受信した場合には、前記管理した第１の拡張タグ及び第２の拡張タグに基づいて、局内終端装置を介してユーザネットワークへパケットを転送する手段を有することを特徴とするアクセスネットワークシステム。
【請求項３】
請求項１または２に記載のアクセスネットワークシステムにおいて、
前記サービス振り分け装置は、さらに、ユーザネットワークからの回線に対応した拡張タグとＶＬＡＮ−ＩＤとの対応情報を予め格納する手段、及び、当該格納された対応情報に基づいて、前記受信したパケットを廃棄する手段を有することを特徴とするアクセスネットワークシステム。
【請求項４】
請求項１から３までのいずれか一項に記載のアクセスネットワークシステムにおいて、
前記サービス振り分け装置は、さらに、コアネットワークを介してサービスネットワークへパケットを転送する際に、前記拡張タグをパケットから削除する手段を有することを特徴とするアクセスネットワークシステム。
【請求項５】
サービス提供者が所定の通信サービスをユーザへ提供するためのサービスネットワーク、当該サービスネットワークに接続されるコアネットワーク、及びユーザが操作する通信端末を含むユーザネットワークにより通信サービスを実現するサービス提供システムの下で、前記ユーザネットワークとコアネットワークとの間でパケットの転送制御を行うアクセスネットワークにおけるパケット転送方法であって、
アクセスネットワークに備えたサービス振り分け装置が、ユーザネットワークから送信されたパケットを受信し、当該受信したパケットに対してユーザネットワークからの回線に対応する拡張タグを付与し、当該拡張タグを管理し、前記パケットに含まれるＩＥＥＥ８０２．１Ｑで規定されたＶＬＡＮ−ＩＤに基づいて、コアネットワークを介してサービスネットワークへパケットを転送し、サービスネットワークから送信されたパケットをコアネットワークを介して受信し、前記拡張タグに基づいてユーザネットワークへパケットを転送することを特徴とするパケット転送方法。
【請求項６】
請求項５に記載のパケット転送方法において、
前記アクセスネットワークは、さらに、局内終端装置を備え、当該局内終端装置が、ユーザネットワークからパケットを受信し、ユーザネットワークからの回線に対応した第１の拡張タグを付与し、当該第１の拡張タグを付与したパケットをサービス振り分け装置へ送信し、
当該サービス振り分け装置が、局内終端装置から受信したパケットに対して、局内終端装置からの回線に対応した第２の拡張タグを付与し、前記第１の拡張タグ及び第２の拡張タグを管理し、サービスネットワークからコアネットワークを介してパケットを受信した場合には、前記管理した第１の拡張タグ及び第２の拡張タグに基づいて、局内終端装置を介してユーザネットワークへパケットを転送することを特徴とするパケット転送方法。
【請求項７】
請求項５または６に記載のパケット転送方法おいて、
前記サービス振り分け装置が、ユーザネットワークからの回線に対応した拡張タグとＶＬＡＮ−ＩＤとの対応情報を予め格納し、当該格納した対応情報に基づいて、前記受信したパケットを廃棄することを特徴とするパケット転送方法。
【請求項８】
請求項５から７までのいずれか一項に記載のパケット転送方法において、
前記サービス振り分け装置が、コアネットワークを介してサービスネットワークへパケットを転送する際に、前記拡張タグをパケットから削除することを特徴とするパケット転送方法。
【発明の詳細な説明】
【技術分野】
【０００１】
本発明は、インターネット通信におけるアクセスネットワークに関するものである。
【背景技術】
【０００２】
現在、日本電信電話株式会社によるフレッツ（登録商標）サービスや東京電力株式会社によるＴＥＰＣＯ（登録商標）光サービスにおいて、アクセスサービス提供事業者に対して複数のＩＳＰ（Ｉｎｔｅｒｎｅｔ  Ｓｅｒｖｉｃｅ  Ｐｒｏｖｉｄｅｒ）サービスを選択できるようにするため、ＩＳＰサービスの識別をＰＰＰｏＥ（Ｐｏｉｎｔ−ｔｏ−Ｐｏｉｎｔ  ｏｖｅｒ  Ｅｔｈｅｒｎｅｔ（登録商標））による認証を用いて行っている。
【０００３】
このようなＩＳＰサービスを選択するためには、ＰＰＰｏＥやＩＰＳｅｃ等のセッション制御プロトコルを利用する必要があるため、ユーザはこれらのセッション制御プロトコルを設定する負荷が強いられる。
【０００４】
さらに、ユーザと企業の拠点との間で、ＩＰＳｅｃやＳＳＬ（Ｓｅｃｕｒｅ  Ｓｏｃｋｅｔｓ  Ｌａｙｅｒ）等を用いたインターネットＶＰＮ（Ｖｉｒｔｕａｌ  Ｐｒｉｖａｔｅ  Ｎｅｔｗｏｒｋ）サービスによる通信を行うためには、ユーザ設備と局設備との間でＰＰＰｏＥやＩＰＳｅｃ等により作られたＩＰトンネル内に、さらにユーザと企業の拠点との間のＩＰＳｅｃやＳＳＬ等のＩＰトンネルを作る必要があるため、ユーザ設備における通信速度が低下する。
【０００５】
ＰＰＰｏＥやＩＰＳｅｃ等のセッション制御プロトコルでは、セッションと呼ばれる通信状態を有するコネックション型の通信を行うため、局設備にはＰＰＰｏＥやＩＰＳｅｃ等を終端する機能が必要となり、装置コストが高くなる。
【０００６】
一方、インターネットＶＰＮサービスによる通信ネットワークの例が開示されている（特許文献１を参照。）。この通信ネットワークは、ＶＬＡＮを施したポートにより通信端末を収容する複数のネットワーク装置、及び外部回線を収容する複数のネットワークユニットを用いることにより、通信端末間のセキュリティを保証すると共に、複数のＩＳＰに容易に接続することができるものである。しかしながら、この通信ネットワークにおいても、上述した問題は存在する。
【０００７】
【特許文献１】特開２００３−２５８８３１号公報（段落〔００１０〕〔００１６〕）
【発明の開示】
【発明が解決しようとする課題】
【０００８】
そこで、本発明は、上述の問題を解決するためになされたものであり、その目的は、ＰＰＰｏＥやＩＰＳｅｃ等のセッション制御プロトコルを用いないイーサネット（登録商標）技術に基づいたイーサネット（登録商標）アクセスサービスを実現可能なシステム及び方法を提供することにある。
【０００９】
また、本発明の他の目的は、前記セッション制御プロトコルにおいて必要となる状態管理を不要とし、アクセスネットワークを構成する装置のコストを低減可能なシステム及び方法を提供することにある。
【００１０】
また、本発明の他の目的は、ユーザがインターネットＶＰＮサービス等でＩＰＳｅｃやＳＳＬ等を用いる場合の通信速度の低下を防ぐことが可能なシステム及び方法を提供することにある。
【００１１】
また、本発明の他の目的は、ＩＳＰサービスの選択とユーザ回線の対応関係を管理し、契約外のサービスへのアクセスを防ぐことが可能なシステム及び方法を提供することにある。
【００１２】
また、本発明の他の目的は、ＩＥＥＥ８０２．１ＱのＶＬＡＮ−ＩＤに対応した転送装置で構成したコア網に対して、ＩＳＰサービス毎にパケット転送範囲を限定し、コア網におけるパケット転送を効率化可能なシステム及び方法を提供することにある。
【課題を解決するための手段】
【００１３】
本発明のアクセスネッワークシステム及び当該アクセスネットワークが行うパケット転送方法は、サービス提供者が所定の通信サービスをユーザへ提供するためのサービスネットワーク、当該サービスネットワークに接続されるコアネットワーク、及びユーザが操作する通信端末を含むユーザネットワークにより通信サービスを実現するサービス提供システムの下で、前記ユーザネットワークとコアネットワークとの間でパケットの転送制御を行うアクセスネットワークに備えたサービス振り分け装置が、ユーザネットワークから送信されたパケットを受信し、ユーザネットワークからの回線に対応する拡張タグを付与し、当該拡張タグを管理し、前記パケットに含まれるＩＥＥＥ８０２．１Ｑで規定されたＶＬＡＮ−ＩＤに基づいて、コアネットワークを介してサービスネットワークへパケットを転送し、サービスネットワークからコアネットワークを介してパケットを受信し、前記拡張タグに基づいてユーザネットワークへパケットを転送することを特徴とする。
【００１４】
本発明によれば、アクセスネットワークは、ＩＥＥＥ８０２Ｑで規定されたＶＬＡＮ−ＩＤに基づいて、通信サービスを提供するサービスネットワークを識別することができ、ユーザは、ユーザネットワークの通信端末等において、ＶＬＡＮ−ＩＤをパケットに付加することによって、通信サービスを選択することができる。また、アクセスネットワークは、拡張タグに基づいてユーザネットワークを識別することができる。
【００１５】
また、本発明のアクセスネッワークシステム及び当該アクセスネットワークが行うパケット転送方法は、アクセスネットワークが局内終端装置を備え、当該局内終端装置が、前記ユーザネットワークからパケットを受信し、ユーザネットワークからの回線に対応した第１の拡張タグを付与し、当該第１の拡張タグが付与されたパケットをサービス振り分け装置へ送信し、前記サービス振り分け装置が、局内終端装置から受信したパケットに対して、局内終端装置からの回線に対応した第２の拡張タグを付与し、前記第１の拡張タグ及び第２の拡張タグを管理し、サービスネットワークからコアネットワークを介してパケットを受信した場合には、前記管理した第１の拡張タグ及び第２の拡張タグに基づいて、局内終端装置を介してユーザネットワークへパケットを転送することを特徴とする。
【００１６】
本発明によれば、アクセスネットワークシステムは、第１及び第２の拡張タグから成る２階層の拡張タグに基づいてユーザネットワークを識別することができる。
【００１７】
また、本発明のアクセスネッワークシステム及び当該アクセスネットワークが行うパケット転送方法は、前記サービス振り分け装置が、ユーザネットワークからパケットを受信する回線に対応した拡張タグとＶＬＡＮ−ＩＤとの対応情報を予め格納し、当該格納された対応情報に基づいて、前記受信したパケットを廃棄することを特徴とする。
【００１８】
本発明によれば、アクセスネットワークシステムが拡張タグとＶＬＡＮ−ＩＤとの対応情報を管理するから、アクセスネットワークシステムを運用するアクセスサービス提供事業者は、ユーザが利用可能な通信サービスを管理することができる。また、拡張タグとＶＬＡＮ−ＩＤとの対応情報に基づいたアクセス制御によりパケットを廃棄するようにしたから、契約外の通信サービスをユーザに提供しないように、サービスネットワークへのアクセスを防ぐことができる。さらに、静的に付与された拡張タグ及びＶＬＡＮ−ＩＤを用いてパケットの転送制御を行うようにしたから、ＰＰＰｏＥやＩＰＳｅｃ等のセッション制御プロトコルを用いた場合に必要な状態管理が不要になり、装置コストを低減することができる。
【００１９】
また、本発明のアクセスネッワークシステム及び当該アクセスネットワークが行うパケット転送方法は、前記サービス振り分け装置が、コアネットワークを介してサービスネットワークへパケットを転送する際に、前記拡張タグをパケットから削除することを特徴とする。
【００２０】
本発明によれば、コアネットワークによってユーザネットワークとサービスネットワークとを接続する際に、サービス振り分け装置が拡張タグを削除して元のＩＥＥＥ８０２．１Ｑのフレームフォーマットに変換するから、通信サービス毎にパケット転送範囲を限定することができ、コアネットワークにおいて不要なパケットの転送を抑制することができる。
【発明の効果】
【００２１】
以上のように、本発明によれば、ＰＰＰｏＥやＩＰＳｅｃ等のセッション制御プロトコルを用いないイーサネット（登録商標）技術に基づいたイーサネット（登録商標）アクセスサービスシステムを構成することができる。これにより、ユーザは、これらのセッション制御プロトコルを設定する手間を省くことができ、ＩＳＰサービスを容易に選択し当該サービスの提供を受けることができる。また、アクセスサービス提供事業者は、これらのセッション制御プロトコルの終端が必要ない安価な装置によりイーサネット（登録商標）アクセスサービスシステムを構成することができ、ユーザとの間のＩＳＰサービス契約管理を容易に行うことができる。
【発明を実施するための最良の形態】
【００２２】
以下、本発明の実施の形態について、図面を参照して詳細に説明する。
〔構成〕
図１に、本発明の一実施形態に係るイーサネット（登録商標）アクセスサービスシステムの構成図を示す。このイーサネット（登録商標）アクセスサービスシステムは、宅内終端装置１１−１〜１１−ｉ（以下、総称して１１）、局内終端装置２−１〜２−ｊ（以下、総称して２）、サービス振り分け装置３及び管理装置４により構成される。宅内終端装置１１−１，１１−２及び局内終端装置２−１、宅内終端装置１１−３，１１−ｉ及び局内終端装置２−ｊ、局内終端装置２及びサービス振り分け装置３、サービス振り分け装置３及び管理装置４は、それぞれ通信回線により接続される。アクセスサービス提供事業者により提供されるアクセスサービスを実現するサービス局１には、局内終端装置２、サービス振り分け装置３及び管理装置４が設けられ、ＩＳＰサービスの提供を受けるユーザのユーザ宅１０−１〜１０−ｉ（以下、総称して１０）には、宅内終端装置１１、レイヤ２スイッチ等のイーサネット（登録商標）スイッチ１２−１〜１２−ｉ（以下、総称して１２）及びパーソナルコンピュータ等の通信端末１３−１〜１３−ｉ（以下、総称して１３）が設けられている。また、ＩＳＰサービスを提供するインターネットサービス提供者は、それぞれＩＳＰネットワーク２１−１〜２１−ｋ（以下、総称して２１）を構成している。尚、図１は、１台の局内終端装置に２台の宅内終端装置が接続される構成としているが、１台または３台以上の宅内終端装置が接続される構成であってもよい。ここで、上述のｉ，ｊ，ｋは自然数である。
【００２３】
また、宅内終端装置１１には、ユーザ宅１０に設けられたイーサネット（登録商標）スイッチ１２を介して通信端末１３がそれぞれ接続される。尚、宅内終端装置１１には通信端末１３が直接接続されるようにしてもよい。また、サービス局１のサービス振り分け装置３は、コアネットワーク２０を介してＩＳＰネットワーク２１に接続される。
【００２４】
このように構成されたイーサネット（登録商標）アクセスサービスシステムは、ユーザが操作する通信端末１３とＩＳＰネットワーク２１との間のＩＳＰ接続管理、ＩＳＰサービスの利用に関する契約管理を行う。これにより、ユーザは、通信端末１３を用いてＩＳＰ事業者によるＩＳＰサービスの提供を受けることができる。また、ユーザがＩＳＰサービスの提供を受けるためには、サービス局１を管理するアクセスサービス提供事業者との間でＩＳＰサービスの契約をする必要がある。
【００２５】
管理装置４は、ユーザが契約したＩＳＰサービスを管理する。具体的には、管理装置４は、ＩＳＰサービス契約に基づいて、ユーザ毎に、ＩＳＰサービスの識別のために用いるＶＬＡＮ−ＩＤ（サービス識別子）と、宅内終端装置１１、局内終端装置２及びサービス振り分け装置３の間のパケット経路情報を表す拡張タグ（回線識別子）との対応表を用いて管理する。この対応表は、予めアクセスサービス事業者により設定される。図５に、対応表の例を示す。この対応表は、ユーザ名、拡張タグ及びＶＬＡＮ−ＩＤから成り、これらの情報によりユーザ名、ユーザ回線及び契約サービスが対応付けられる。図５の例では、ユーザ１は回線１−１（局内終端装置２−１，宅内終端装置１１−１）を使用していて契約サービスが１（ＩＳＰネットワーク２１−１）、ユーザ２は回線１−２（局内終端装置２−１，宅内終端装置１１−２）を使用していて契約サービスは１及び２（ＩＳＰネットワーク２１−１，２１−２）、ユーザ３は回線ｊ−３（局内終端装置２−ｊ，宅内終端装置１１−３）を使用していて契約サービスは２（ＩＳＰネットワーク２１−２）、ユーザ４は回線ｊ−ｉ（局内終端装置２−ｊ，宅内終端装置１１−ｉ）を使用していて契約サービスは２，ｋ（ＩＳＰネットワーク２１−２，２１−ｋ）となっている。
【００２６】
サービス振り分け装置３は、図６に示すように、ユーザインタフェース３−１−１，３−１−２〜３−１−ｊ（以下、総称して３−１）、フォワーディングデータベース（ＦＤＢ）３−２、転送制御部３−３、パケットフィルタ／サービス振り分け部３−４、サービスアクセス制御リスト３−５、コア網インタフェース３−６及び管理装置インタフェース３−７を備えている。サービスアクセス制御リスト３−５は、管理装置４が管理装置インタフェース３−７を介して設定するリストであり、図５に示した対応表と同様の情報、またはＶＬＡＮ−ＩＤと拡張タグとを対応付けた情報が格納される。フォワーディングデータベース３−２は、拡張タグとユーザの通信端末１３のＭＡＣアドレスとを対応付けた情報が格納される。
【００２７】
〔動作（ユーザ→ＩＳＰ）〕
次に、イーサネット（登録商標）パケットがユーザからＩＳＰへ転送される動作について説明する。ユーザがＩＳＰサービスの提供を受けるために通信端末１３を操作すると、通信端末１３、イーサネット（登録商標）スイッチ１２またはルータ（図示せず）は、契約ＩＳＰサービスに対応したＶＬＡＮ（Ｖｉｒｔｕａｌ  Ｌｏｃａｌ  Ａｒｅａ  Ｎｅｔｗｏｒｋ）−ＩＤをイーサネット（登録商標）パケットに付与し、当該イーサネット（登録商標）パケットを、宅内終端装置１１を介してサービス局１へ送出する。図２に、ＩＥＥＥ８０２．１ＱによるＶＬＡＮ−ＩＤ付きのイーサネット（登録商標）パケット１０１のフォーマット例を示す。このＶＬＡＮ−ＩＤ付きのイーサネット（登録商標）パケット１０１は、着ＭＡＣアドレス、発ＭＡＣアドレス、タグプロトコルＩＤ、タグ制御情報、パケット長／タイプ、データ及びフレームチェックシーケンスから構成される。タグ制御情報は、優先情報、インジケータ、及び通信端末１３またはイーサネット（登録商標）スイッチ１２により付与されたＶＬＡＮ−ＩＤから構成される。
【００２８】
局内終端装置２は、宅内終端装置１１からイーサネット（登録商標）パケット１０１を受信すると、当該局内終端装置２と宅内終端装置１１とを接続する回線に対応した第１の拡張タグをイーサネット（登録商標）パケット１０１に付与し、イーサネット（登録商標）パケット１０２を生成し、当該イーサネット（登録商標）パケット１０２をサービス振り分け装置３へ送出する。例えば、局内終端装置２−１が宅内終端装置１１−１から受信した場合には、第１の拡張タグとして「１」を、宅内終端装置１１−２から受信した場合には「２」を付与する。このように、局内終端装置２は、当該局内終端装置２と宅内終端装置１１とを接続する回線毎に、それぞれ異なる独自のタグを付与する。図３に、第１の拡張タグ付きのイーサネット（登録商標）パケット１０２のフォーマット例を示す。この第１の拡張タグ付きのイーサネット（登録商標）パケット１０２は、着ＭＡＣアドレス、発ＭＡＣアドレス、局内終端装置２により付与された第１の拡張タグ、タグプロトコルＩＤ、タグ制御情報、パケット長／タイプ、データ及びフレームチェックシーケンスから構成される。タグ制御情報は、優先情報、インジケータ及びＶＬＡＮ−ＩＤから構成される。
【００２９】
サービス振り分け装置３が局内終端装置２からイーサネット（登録商標）パケット１０２を受信すると、ユーザインタフェース３−１は、当該サービス振り分け装置３のユーザインタフェース３−１と局内終端装置２とを接続する回線に対応した第２の拡張タグをイーサネット（登録商標）パケット１０２に付与し、イーサネット（登録商標）パケット１０３を生成し、当該イーサネット（登録商標）パケット１０３を転送制御部３−３及びパケットフィルタ／サービス振り分け部３−４に出力する。
【００３０】
例えば、サービス振り分け装置３が局内終端装置２−１からイーサネット（登録商標）パケット１０２を受信した場合には、ユーザインタフェース３−１−１は、第２の拡張タグとして「１」を付与する。また、局内終端装置２−２から受信した場合には、ユーザインタフェース３−１−２は、第２の拡張タグとして「２」を付与する。このようにユーザインタフェース３−１は、当該サービス振り分け装置３と局内終端装置２とを接続する回線毎に、それぞれ異なる独自のタグを付与する。図４に、第２の拡張タグ付きのイーサネット（登録商標）パケット１０３のフォーマット例を示す。この第２の拡張タグ付きのイーサネット（登録商標）パケット１０３は、着ＭＡＣアドレス、発ＭＡＣアドレス、サービス振り分け装置３により付与された第２の拡張タグ、第１の拡張タグ、タグプロトコルＩＤ、タグ制御情報、パケット長／タイプ、データ及びフレームチェックシーケンスから構成される。タグ制御情報は、優先情報、インジケータ及びＶＬＡＮ−ＩＤから構成される。
【００３１】
転送制御部３−３は、イーサネット（登録商標）パケット１０３を入力すると、当該イーサネット（登録商標）パケット１０３の発側ＭＡＣアドレスと拡張タグ（第１の拡張タグ及び第２の拡張タグ）との対応をフォワーディングデータベース３−２に登録する。
【００３２】
パケットフィルタ／サービス振り分け部３−４は、イーサネット（登録商標）パケット１０３を入力すると、当該イーサネット（登録商標）パケット１０３の拡張タグ及びＶＬＡＮ−ＩＤと、サービスアクセス制御リスト３−５の拡張タグ及びＶＬＡＮ−ＩＤとを比較する。一致した場合には、フィルタ処理を行い、イーサネット（登録商標）パケット１０３をコア網インタフェース３−６に出力する。一致しない場合には、イーサネット（登録商標）パケット１０３を廃棄する。
【００３３】
コア網インタフェース３−６は、イーサネット（登録商標）パケット１０３を入力すると、当該イーサネット（登録商標）パケット１０３から拡張タグを取り除き、そのイーサネット（登録商標）パケットをＶＬＡＮ−ＩＤにより識別されるＩＳＰネットワーク２１へコアネットワーク２０を介して転送する。
【００３４】
〔動作（ＩＳＰ→ユーザ）〕
次に、イーサネット（登録商標）パケットがＩＳＰからユーザへ転送される動作について説明する。ＩＳＰネットワーク２１から転送されるイーサネット（登録商標）パケットは、既にａｒｐ（Ａｄｄｒｅｓ  Ｒｅｓｏｌｕｔｉｏｎ  Ｐｒｏｔｏｃｏｌ）等の手続きにより取得したユーザのＭＡＣアドレス、ＩＳＰがサービス提供に用いるサーバのＭＡＣアドレス、ユーザ契約によるＩＳＰサービスに対応したＶＬＡＮ−ＩＤ及びデータを含む。
【００３５】
ＩＳＰネットワーク２１は、イーサネット（登録商標）パケットをコアネットワーク２０へ転送する。コアネットワーク２０は、当該コアネットワーク２０内のレイヤ２スイッチの転送テーブルに基づいてイーサネット（登録商標）パケットを、当該ユーザが収容されたサービス振り分け装置３へ転送する。
【００３６】
サービス振り分け装置３がコアネットワーク２０からイーサネット（登録商標）パケットを受信すると、転送制御部３−３は、コア網インタフェース３−６を介してイーサネット（登録商標）パケットを入力し、当該イーサネット（登録商標）パケットの宛先ＭＡＣアドレスからフォワーディングデータベース３−２を用いて拡張タグを取得する。また、転送制御部３−３は、取得した拡張タグ及び当該イーサネット（登録商標）パケットのＶＬＡＮ−ＩＤと、サービスアクセス制御リスト３−５に設定されている拡張タグ及びＶＬＡＮ−ＩＤとを比較し、対応が正しいか否かを判断する。対応が正しいと判断した場合には、イーサネット（登録商標）パケットに第１の拡張タグ（当該イーサネット（登録商標）パケットが転送されるべき宅内終端装置１１と局内終端装置２との間の回線情報）を付与すると共に、第２の拡張タグ（当該イーサネット（登録商標）パケットが転送されるべき宅内終端装置１１とサービス振り分け装置３との間の回線情報）を用いて、当該ユーザが収容された所定の局内終端装置２へ前記イーサネット（登録商標）パケットを転送する。対応が正しくないと判断した場合には、転送制御部３−３は、当該イーサネット（登録商標）パケットを廃棄する。この場合、転送制御部３−３は、イーサネット（登録商標）パケットの廃棄情報を管理装置インタフェース３−７を介して管理装置４へ報告する。管理装置４は、イーサネット（登録商標）パケットの廃棄情報のログを記録する。
【００３７】
局内終端装置２は、サービス振り分け装置３からイーサネット（登録商標）パケットを受信すると、当該イーサネット（登録商標）パケットの第１の拡張タグを用いて、当該ユーザが収容された宅内終端装置１１へイーサネット（登録商標）パケットを転送する。
【００３８】
宅内終端装置１１は、局内終端装置２からイーサネット（登録商標）パケットを受信すると、当該イーサネット（登録商標）パケットから第１の拡張タグを削除し、イーサネット（登録商標）スイッチ１２を介して通信端末１３へ当該イーサネット（登録商標）パケットを転送する。この場合、ＩＳＰサービスの識別のために用いるＶＬＡＮ−ＩＤの付与／削除を通信端末１３が行う構成のときは、宅内終端装置１１は、局内終端装置２から受信したイーサネット（登録商標）パケットを変更することなく、そのまま通信端末１３へ転送する。一方、ＶＬＡＮ−ＩＤの付与／削除を通信端末１３が行わない構成のときは、宅内終端装置１１は、局内終端装置２から受信したイーサネット（登録商標）パケットに対してＶＬＡＮ−ＩＤを削除し、当該イーサネット（登録商標）パケットを通信端末１３へ転送する。
【００３９】
以上のように、本発明の実施形態によれば、ユーザからＩＳＰへイーサネット（登録商標）パケットを転送する場合、ユーザが、通信端末１３を用いてＶＬＡＮ−ＩＤを付与したイーサネット（登録商標）パケットを宅内終端装置１１へ送出し、局内終端装置２が、宅内終端装置１１からの回線毎に第１の拡張タグを付与し、サービス振り分け装置３が、局内終端装置２からの回線毎に第２の拡張タグを付与し、ＩＳＰネットワーク２１へイーサネット（登録商標）パケットを転送するようにした。また、ＩＳＰからユーザへイーサネット（登録商標）パケットを転送する場合、サービス振り分け装置３が、ＩＳＰネットワーク２１から転送されたイーサネット（登録商標）パケットを、第２の拡張タグを用いて局内終端装置２へ転送し、局内終端装置２が、第１の拡張タグを用いて宅内終端装置１１へ転送し、ユーザがイーサネット（登録商標）パケットを受信するようにした。これにより、ＰＰＰｏＥやＩＰＳｅｃ等のセッション制御プロトコルを用いることなく、イーサネット（登録商標）技術に基づいたイーサネット（登録商標）アクセスサービスを実現することができる。従って、ユーザは、これらのセッション制御プロトコルを設定する手間を省くことができ、アクセスサービス提供事業者は、これらのセッション制御プロトコルの終端が必要ない安価な装置によりイーサネット（登録商標）アクセスサービスシステムを構成することができる。
【００４０】
また、本発明の実施形態によれば、ユーザから送出されたイーサネット（登録商標）パケットに対して、局内終端装置２が第１の拡張タグを付与し、サービス振り分け装置３が第２の拡張タグを付与し、これらの拡張タグを管理するようにした。これらの拡張タグを用いることにより、ＩＳＰネットワーク２１から転送されるイーサネット（登録商標）パケットの転送先であるユーザを特定することができる。
【００４１】
また、本発明の実施形態によれば、サービス振り分け装置３が、ＶＬＡＮ−ＩＤに基づいてＩＳＰネットワーク２１を識別し、そのＩＳＰネットワーク２１へイーサネット（登録商標）パケットを転送するようにした。これにより、ユーザは、ＩＥＥＥ８０２．１ＱによるＶＬＡＮ−ＩＤを用いてＩＰＳサービスを選択することができる。また、ＩＳＰサービス単位にイーサネット（登録商標）パケットの転送範囲を限定できるから、コアネットワーク２０において不要なイーサネット（登録商標）パケットの転送を抑制することができる。
【００４２】
また、本発明の実施形態によれば、サービス振り分け装置３が、ＩＳＰサービスの提供に先立って、ユーザとアクセスサービス提供事業者との間の契約に基づいて、ＶＬＡＮ−ＩＤと拡張タグとの対応をサービスアクセス制御リスト３−５として管理するように、ユーザから受信したイーサネット（登録商標）パケット１０３の拡張タグ及びＶＬＡＮ−ＩＤとサービスアクセス制御リスト３−５の拡張タグ及びＶＬＡＮ−ＩＤとを比較し、一致した場合は、当該ＶＬＡＮ−ＩＤが表すＩＳＰネットワーク２１へイーサネット（登録商標）パケットを転送し、一致しない場合は、当該イーサネット（登録商標）パケットを廃棄するようにした。これにより、ユーザは、複数のＩＳＰサービスを切り替えることができる。また、アクセスサービス提供事業者は、ユーザが利用可能なＩＳＰサービスを管理することができると共に、契約外のＩＳＰネットワーク２１へのアクセスを排除することができる。
【００４３】
以上、実施形態を挙げて本発明を説明したが、上記の説明は、本発明の理解を助けるものであって、本発明の特許請求の範囲を制限するものではない。従って、本発明の要旨を逸脱しない限り、種々変形が可能であり、本発明の目的を達し、効果を奏する範囲において、適宜変更することが可能である。
【００４４】
尚、上記宅内終端装置１１、局内終端装置２、サービス振り分け装置３及び管理装置４は、ＣＰＵ、ＲＡＭ等の揮発性の記憶媒体、ＲＯＭ等の不揮発性の記憶媒体、キーボードやポインティングデバイス等の入力装置、画像やデータを表示するモニタ装置、及び外部の装置と通信をするためのインタフェースを備えたコンピュータによってそれぞれ構成されるようにしてもよい。この場合、宅内終端装置１１、局内終端装置２、サービス振り分け装置３及び管理装置４の各機能は、当該機能を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。
【図面の簡単な説明】
【００４５】
【図１】本発明の一実施形態に係るイーサネット（登録商標）アクセスサービスシステムの構成例を示す図である。
【図２】宅内終端装置から送出されるイーサネット（登録商標）パケットのフォーマットを示す図である。
【図３】局内終端装置において第１の拡張タグが付与されたイーサネット（登録商標）パケットのフォーマット例を示す図である。
【図４】サービス振り分け装置において第２の拡張タグが付与されたイーサネット（登録商標）パケットのフォーマット例を示す図である。
【図５】管理装置に格納された管理表の例を示す図である。
【図６】サービス振り分け装置を説明する機能構成例である。
【符号の説明】
【００４６】
１  サービス局
２，２−１〜２−ｊ  局内終端装置
３  サービス振り分け装置
３−１，３−１−１，３−１−２〜３−１−ｊ  ユーザインタフェース
３−２  フォワーディングデータベース
３−３  転送制御部
３−４  パケットフィルタ／サービス振り分け部
３−５  サービスアクセス制御リスト
３−６  コア網インタフェース
３−７  管理装置インタフェース
４  管理装置
１０，１０−１，１０−２，１０−３〜１０−ｉ  ユーザ宅
１１，１１−１，１１−２，１１−３〜１１−ｉ  宅内終端装置
１２，１２−１，１２−２，１２−３〜１２−ｉ  イーサネット（登録商標）スイッチ
１３，１３−１，１３−２，１３−３〜１３−ｉ  通信端末
２０  コアネットワーク
２１，２１−１，２１−２〜２１−ｋ  ＩＳＰネットワーク
１０１  ＶＬＡＮ−ＩＤ付きイーサネット（登録商標）パケット
１０２  第１の拡張タグ付きイーサネット（登録商標）パケット
１０３  第２の拡張タグ付きイーサネット（登録商標）パケット
【図１】
2005311957.tif 000003
【図２】
2005311957.tif 000004
【図３】
2005311957.tif 000005
【図４】
2005311957.tif 000006
【図５】
2005311957.tif 000007
【図６】
2005311957.tif 000008